(57)【要約】【課題】  印刷ジョブデータを生成する毎にプリンタ装置まで出向き、作業性に問題がある。【解決手段】  ジョブ判定部１４は、設定情報格納部１５の登録用紙設定情報と、生成した印刷ジョブデータの用紙設定情報が一致すると該データをジョブ格納部１６に格納する。送信制御部１３は送信指示を受けると、ジョブ格納部１６の複数の印刷ジョブデータを連続的に送信させる。【選択図】        図１
2007257506.tif 000002
【特許請求の範囲】
【請求項１】
印刷媒体を指定する用紙設定情報を含む印刷ジョブデータを生成するジョブ生成部と、該生成した印刷ジョブデータを画像形成装置へ送信するジョブ送信部とを備える印刷制御装置において、
特定の印刷媒体を示す一以上の登録用紙設定情報が設定されている設定情報格納部と、
前記生成された印刷ジョブデータの前記用紙設定情報と前記設定情報格納部で設定されている登録用紙設定情報とを比較して両者が一致すると該印刷ジョブデータをジョブ格納部に格納させるジョブ判定部と、
送信指示を受けると前記ジョブ格納部に格納された複数の印刷ジョブデータを連続的に送信させるために前記ジョブ送信部を制御する送信制御部と、
を含むことを特徴とする印刷制御装置。
【請求項２】
前記設定情報格納部に複数の登録用紙設定情報が設定され、
前記ジョブ格納部の複数の印刷ジョブデータに対し、用紙設定情報の一致する印刷ジョブデータ毎に連続送信するためのソート処理を行うソート処理部を更に含むことを特徴とする請求項１記載の印刷制御装置。
【請求項３】
請求項１記載の印刷制御装置と画像形成装置とを備える印刷システムにおいて、
前記画像形成装置は、装着されている用紙トレイを検出して該用紙トレイの収容している用紙のサイズ情報を判定するサイズ判定部と、前記印刷制御装置から送信要求を受けると前記判定したサイズ情報を該印刷制御装置へ送信する送信部を有し、
前記印刷制御装置は、前記画像形成装置に前記送信要求を出力する送信要求部を有し、
前記ジョブ判定部は、前記用紙設定情報と前記登録用紙設定情報とを不一致と判定し、かつ受信したサイズ情報と前記不一致と判定した印刷ジョブデータの用紙設定情報で示すサイズ情報とが一致すると該印刷ジョブデータを送信させるべく前記ジョブ送信部を制御し、前記両サイズ情報が不一致であると該印刷ジョブデータを前記ジョブ格納部に格納させる、
ことを特徴とする印刷システム。
【発明の詳細な説明】
【技術分野】
【０００１】
本発明は、印刷ジョブデータを生成して送信する印刷制御装置及び該印刷制御装置と印刷ジョブデータを受信する画像形成装置から成る印刷システムに関する。
【背景技術】
【０００２】
近年、複数の情報処理装置を印刷制御装置として一つのプリンタ装置を共用する印刷システムが知られている。このような印刷システムでは、通常、情報処理装置とプリンタ装置とが離間して配置されている。
【発明の開示】
【発明が解決しようとする課題】
【０００３】
ところで、従来の情報処理装置は、印刷ジョブデータを生成する毎に単に該データをプリンタ装置へ送信する構成を有するだけである。このため、情報処理装置のユーザは、印刷ジョブデータを送信する毎にプリンタ装置まで出向く必要があり、作業性の点で問題があった。
【０００４】
また、ＯＨＰシートや葉書等の特殊用紙に印刷を行う場合、プリンタ装置へ出向く毎にユーザが特殊用紙を用意し、トレイを交換した上で用紙を手差しで供給しなければならず、非常に煩わしかった。
【０００５】
本発明の目的は、画像形成装置まで出向く回数を少なくできる印刷制御装置及び印刷システムを提供することにある。
【課題を解決するための手段】
【０００６】
本発明は、上記課題を解決するために次のような構成を有する。
【０００７】
＜構成１＞
本発明は、印刷媒体を指定する用紙設定情報を含む印刷ジョブデータを生成するジョブ生成部と、該生成した印刷ジョブデータを画像形成装置へ送信するジョブ送信部とを備える印刷制御装置において、
特定の印刷媒体を示す一以上の登録用紙設定情報が設定されている設定情報格納部と、
生成された印刷ジョブデータの用紙設定情報と設定情報格納部の登録用紙設定情報とを比較して両者が一致すると該印刷ジョブデータをジョブ格納部に格納させるジョブ判定部と、
送信指示を受けるとジョブ格納部に格納された印刷ジョブデータを連続的に送信させるために前記ジョブ送信部を制御する送信制御部と、を含むことを特徴としている。
【０００８】
＜構成２＞
他の発明は、構成１の印刷制御装置と画像形成装置とを備える印刷システムにおいて、
画像形成装置は、装着されている用紙トレイを検出して収容している用紙のサイズ情報を判定するサイズ判定部と、送信要求を受けるとサイズ情報を印刷制御装置へ送信する送信部とを有し、
印刷制御装置は、ジョブ判定部が用紙設定情報と登録用紙設定情報とを不一致と判定すると、上記送信要求を出力する送信要求部を有し、
ジョブ判定部は、受信したサイズ情報と、不一致と判定した印刷ジョブデータの用紙設定情報で示すサイズ情報とが一致すると、該印刷ジョブデータを送信すべくジョブ送信部を制御し、両サイズ情報が不一致であると該印刷ジョブデータをジョブ格納部に格納させる、ことを特徴としている。
【０００９】
上記各構成において、ＯＨＰシート、葉書、封筒、光沢紙等の特殊用紙を示す登録用紙設定情報が設定されていると、特殊用紙を用いる複数の印刷ジョブデータがジョブ格納部に格納され、これら複数の印刷ジョブデータが画像形成装置に一括的に送信される。
【００１０】
また、Ｂ５、Ａ４等の普通紙を示す登録用紙設定情報が設定されていると、普通紙を用いる複数の印刷ジョブデータを画像形成装置に一括的に送信することができる。
【００１１】
尚、画像形成装置で印刷可能な普通紙及び特殊用紙の全てを登録用紙設定情報として設定してもよい。
【発明の効果】
【００１２】
本発明によれば、印刷媒体が同一である複数の印刷ジョブデータを一時的に格納し、その後、一括的に送信するので、画像形成装置へ出向く回数を大幅に減らすことができ、又特殊用紙の場合にはその用意、トレイ交換等を一回行えば済むので印刷に要する手間及び時間を大幅に減少させることができる。
【発明を実施するための最良の形態】
【００１３】
以下、本発明の実施形態を図面を参照して詳細に説明する。
【実施例１】
【００１４】
図１は、本発明に係る印刷制御装置１０のブロック図である。この図１において、１１は印刷対象文書指定部を示している。この印刷対象文書指定部１１は作成済みの文書をユーザが指定入力すると、該文書データをジョブ生成部１２に出力する。ジョブ生成部１２は文書データに基づいて印刷ジョブデータを生成し、ジョブ送信制御部１３に出力する。
【００１５】
ここで、印刷ジョブデータは、文書データに基づくデータ部と、このデータ部に付加されるヘッダ部とを有し、ヘッダ部に用紙設定情報が設定される。この用紙設定情報はユーザが入力設定するもので、例えば、種類「ＯＨＰシート」、給紙トレイ「手差しトレイ」、用紙サイズ「Ａ４」を指定する情報から成る。
【００１６】
このような印刷ジョブデータはジョブ生成部１２から出力された場合、そのヘッダ部が用紙設定情報判定部１４に取り込まれる。
【００１７】
用紙設定情報判定部１４は取り込んだヘッダ部から用紙設定情報を抽出すると共に、用紙設定情報記憶部１５に格納されている登録用紙設定情報と比較してその一致、不一致を判定する。
【００１８】
図２には本実施例で用紙設定情報記憶部１５に設定した登録用紙設定情報の一例が示されている。即ち、この情報として、項目「用紙サイズ」に対し「レターサイズ、葉書サイズ」、項目「給紙トレイ」に対し「手差しトレイ」、項目「用紙種類」に対し「ＯＨＰ、葉書、レター」がそれぞれ設定されている。このように、本実施例では用紙サイズの特定した三種類の特殊用紙が設定されている。尚、手差しトレイを前提とする場合、用紙種類及び用紙サイズのみの構成であってもよい。
【００１９】
用紙設定情報判定部１４は、上記のように比較した結果、一致と判定すると、一括的に送信させるべく一致信号をジョブ送信制御部１３に出力する。ジョブ送信制御部１３は一致信号を受けると、この生成した印刷ジョブデータをジョブ格納部１６に出力する。
【００２０】
一方、用紙設定情報判定部１４は不一致と判定すると、不一致信号を出力するので、ジョブ送信制御部１３は生成した印刷ジョブデータをジョブ送信部１７に出力して送信指示制御する。これによりジョブ送信部１７は受信した印刷ジョブデータをプリンタ装置１へ送信する。即ち、例えば、生成した印刷ジョブデータの用紙設定情報が「Ａ４」、「普通紙」を示していると、本実施例の登録用紙設定情報（図２）と不一致となるので、生成した印刷ジョブデータはそのままプリンタ装置１へ送信されることとなる。
【００２１】
上記ジョブ格納部１６は、図３（Ａ）、（Ｂ）に示すように、ジョブ格納メモリ１６ａとジョブ管理テーブル１６ｂとを備えている。ジョブ格納メモリ１６ａには一括的に送信すべき各印刷ジョブデータが順次、記憶されている。ジョブ管理テーブル１６ｂには、各印刷ジョブデータにレコードＮｏを付し、フィールド部にその先頭格納アドレスａｄｄｒ１、ａｄｄｒ２・・・、と実データのデータ長ｌｅｎが格納されている。このジョブ管理テーブル１６ｂは、例えば、ＣＰＵ（図４）が作成する。
【００２２】
上記ジョブ送信制御部１３は、ジョブ送信指示部１８から送信指示を受けると、ジョブ格納部１６を制御して複数の印刷ジョブデータを順次、ジョブ送信部１７に出力させ、かつジョブ送信部１７を制御して連続的に印刷ジョブデータをプリンタ装置１へ出力させる。
【００２３】
ジョブ送信指示部１８はユーザが送信指示を入力すると送信指示信号を出力する。また、上記登録用紙設定情報（図２）は、用紙設定情報指定部１９をユーザが操作入力することで用紙設定情報記憶部１５に記憶される。
【００２４】
図４は、本発明の印刷制御装置１０として用いられる情報処理装置（コンピュータ）の構成図である。
【００２５】
この図４において、ＲＯＭ２０にはジョブ生成プログラム、ジョブ送信制御プログラム、用紙設定情報判定プログラムがそれぞれ格納されており、ＣＰＵ２１はこれらプログラムに基づいてジョブ生成部１２、ジョブ送信制御部１３及び用紙設定情報判定部１４として動作する。
【００２６】
また、図４において、ＲＡＭ２２にはジョブ格納部１６と用紙設定情報記憶部１５が設定されている。
【００２７】
更に、図４において、キーボード、マウス等のユーザ操作部としての入力装置２３は、印刷対象文書指定部１１、用紙設定情報指定部１９を構成し、又ジョブ送信指示部１８を含む動作モード指定部を構成している。
【００２８】
尚、図４において、表示装置２４はユーザの操作用入力画面を表示するために用いられ、送受信インターフェイス２５はジョブ送信部１７を構成し、ハードディスク装置２６は作成した文書データの記憶部等として用いられる。
【００２９】
次に、本発明に係る印刷制御装置１０の動作を図５乃至図７に基づいて説明する。
【００３０】
先ず、図１で示す印刷対象文書指定部１１は図５に示すように、ハードディスク装置２６内の文書を指定し（Ｓ３０１）、該文書データをジョブ生成部１２に出力する。
【００３１】
次に、ジョブ生成部１２は文書データに基づいて印刷ジョブデータを生成し（Ｓ３０２）、ジョブ送信制御部１３へ送出する。
【００３２】
次いで、用紙設定情報判定部１４は印刷ジョブデータのヘッダ部から用紙設定情報を抽出し、用紙設定情報記憶部１５の登録用紙設定情報（図２）と比較し（Ｓ３０３）、両者が一致するとスプールと判定し（Ｓ３０４）、一致信号をジョブ送信制御部１３に出力する。
【００３３】
ジョブ送信制御部１３は一致信号を受けると、印刷ジョブデータをジョブ格納部１６に格納する（Ｓ３０５）。
【００３４】
一方、用紙設定情報判定部１４が両者を不一致と判定し、不一致信号を出力すると、ジョブ送信制御部１３は印刷ジョブデータをジョブ送信部１７へ送信し、プリンタ装置１へ送信させる（Ｓ３０６）。
【００３５】
以上の動作で特殊用紙（ＯＨＰシート、葉書、レター）を印刷媒体とする印刷ジョブデータをジョブ格納部１６に格納でき、又普通紙を印刷媒体とする印刷ジョブデータを直接的にプリンタ装置１へ送信することができる。
【００３６】
一方、ジョブ格納部１６へ印刷ジョブデータを格納する際には、図６及び図３に示すように、ＣＰＵ２１はジョブ格納メモリ１６ａに印刷ジョブデータを格納し、ジョブ管理テーブル１６ｂ上にその格納アドレスａｄｄｒ、実データ長をｌｅｎとしてフィールドを設定する（Ｓ５０１）。
【００３７】
次に、フィールドに対しレコードＮｏを追加し（Ｓ５０２）、フィールド内に先頭アドレスと実データを代入して（Ｓ５０３）ジョブ管理テーブル１６ｂを生成する。
【００３８】
ジョブ管理テーブル１６ｂはジョブ送信指示部１８（ＣＰＵ）により管理され、図７に示すように、レコード数「Ｎ」、例えば「５」が設定されている。即ち、ジョブ送信指示部１８は最初の印刷ジョブデータを格納するとレコードＮｏを示す変数ｉを「１」に初期化し（Ｓ６０１）、ｉ＜Ｎであると（Ｓ６０２）、次の印刷ジョブデータを格納する毎にｉ←ｉ＋１を設定する（Ｓ６０４）。そして、ｉがＮより大きくなると、即ちｉ＝６になると、表示装置２４にジョブ格納部１６内の送信する６つの印刷ジョブデータのファイル名等を表示させてユーザに送信動作である旨を通知すると共に、ジョブ送信制御部１３に送信指示を出力する。
【００３９】
これにより、ジョブ送信制御部１３はジョブ格納部１６を制御して格納していた６つの印刷ジョブデータを連続的にジョブ送信部１７へ出力させ、かつジョブ送信部１７を制御して各印刷ジョブデータをプリンタ装置１へ連続的に送信させる。
【００４０】
従って、特殊用紙を印刷媒体とする６つの印刷ジョブデータを一括的に送信しているので、ユーザはプリンタ装置１の設置位置まで１回出向くだけでこれら印刷ジョブデータに基づいて各特殊用紙に印刷を行うことができる。
【実施例２】
【００４１】
上記実施例１では単に６つの印刷ジョブデータを連続的に送信するだけなので、最初の印刷すべきジョブデータがＯＨＰシートを用い、次の印刷すべきジョブデータが葉書を用い、更に次のそれがＯＨＰシートを用いる場合、プリンタ装置１へ出向くのが一回であるにもかかわらず、ＯＨＰシート用トレイ→葉書→ＯＨＰシート用トレイの如くトレイの着脱を繰り返す必要が生じる。
【００４２】
本実施例２では上記問題点を解決している。
【００４３】
図８は、本実施例に係る印刷制御装置１０Ａのブロック図である。
【００４４】
即ち、この印刷制御装置１０Ａは新たにジョブソート処理部２７及びジョブ格納部１６Ａを備え、他は実施例１の構成と同一構成を有している。
【００４５】
ジョブ格納部１６Ａのジョブ管理テーブルは図１０に示すように、各レコードが格納アドレス、データ長以外に更に用紙設定情報のフィールドを有している。
【００４６】
このようなジョブ管理テーブルはＣＰＵ（図４）により次のように作成される。即ち、ＣＰＵはジョブ格納メモリに印刷ジョブデータを格納する毎にその先頭アドレスａｄｄｒと実データ長ｌｅｎを検知し（Ｓ９０１）、ジョブ管理テーブル上でレコードＮｏを付与する（Ｓ９０２）。次に、ＣＰＵはレコードＮｏの対応するフィールドに先頭アドレス及び実データ長ｌｅｎを設定すると共に（Ｓ９０３）、印刷ジョブデータのヘッダ部から用紙設定情報を抽出し、この用紙設定情報を設定する（Ｓ９０４）。この用紙設定情報は、図１０に示すように、レコードＮｏ１の場合、「葉書（サイズ）」、「手差しトレイ」、「普通紙」を示している。
【００４７】
このようにジョブ管理テーブル上では、ソート処理前では図１０に示すように、印刷ジョブデータをジョブ格納メモリに格納する順に、レコードＮｏ及びアドレスが付与されている。
【００４８】
上記ジョブソート処理部２７は、図１１に示すように用紙設定情報に基づいてソート処理を実行し、用紙設定情報の一致する複数の印刷ジョブデータが存在すると、その各アドレスの読み出しを連続すべく各アドレスをレコードＮｏの連続する位置へ配置換えする（ａｄｄｒ１、ａｄｄｒ３、ａｄｄｒ６を連続、ａｄｄｒ２、ａｄｄｒ５を連続）と共に、特定の媒体（ＯＨＰ）の情報を有する印刷ジョブデータのアドレスを連続する位置へ配置換えする。
【００４９】
次に、上記印刷制御装置１０Ａの動作を説明する。
【００５０】
先ず、印刷ジョブデータを生成する毎に直接送信叉はジョブ格納部１６Ａに格納する動作は実施例１と同一なので、その説明を省略する。
ジョブ格納部１６Ａに印刷ジョブデータが格納される毎に図１０で示すジョブ管理テーブルが作成されると、ジョブソート処理部２７は、図１２に示すジョブソート処理を実行する（Ｓ１０００）。これによりジョブ管理テーブルは図１１に示すように用紙設定情報に基づいてアドレスが置換される。
【００５１】
このようなジョブソート処理と並列的に、図１２に示すように、ジョブ送信指示部１８は最初の印刷ジョブデータを格納すると、変数ｉを「１」に初期化し（Ｓ６０１）、ｉ＜Ｎ（５）であると（Ｓ６０２）、次の印刷ジョブデータを格納する毎にｉ←ｉ＋１を設定する（Ｓ６０４）。そして、ｉがＮより大きくなると、表示装置２４に送信する印刷ジョブデータのファイル名等を表示させると共に、ジョブ送信制御部１３に送信指示を出力する。
【００５２】
ジョブ送信制御部１３は、ジョブ格納部１６Ａを制御して印刷ジョブデータを連続的にジョブ送信部１７へ出力させるが、この場合、図１１で示すジョブソート処理の終了後のジョブ管理テーブルに基づいてレコードＮｏ順に印刷ジョブデータが連続的に出力される。
【００５３】
従って、プリンタ装置１には、「葉書」、「手差しトレイ」、「普通紙」が同一（用紙設定情報が同一）の三つの印刷ジョブデータ（ａｄｄｒ１、ａｄｄｒ３、ａｄｄｒ６）がこの順で送信され、次に、「Ａ４」、「手差しトレイ」、「ＯＨＰ」の印刷ジョブデータ（ａｄｄｒ４）が送信され、最後に「Ａ４」、「自動給紙トレイ」、「ＯＨＰ」が同一の二つの印刷ジョブデータ（ａｄｄｒ２、ａｄｄｒ５）が送信される。
【００５４】
よって、プリンタ装置１へ出向いたユーザは、６つの印刷ジョブデータに対し
トレイ交換処理を３回行うだけで所望の各印刷媒体に連続的に印刷を行わせることができる。
【００５５】
ところで、ジョブソート処理部２７は、用紙設定情報の各項目に対し図１３に示すように、ウェイト値Ｗと係数値Ｃの設定されているテーブルを備えている。
【００５６】
即ち、このテーブルでは、「用紙サイズ」に大きなウェイト値Ｗ１＝１００が設定され、各サイズに小さな係数値Ｃ１が設定され、同様に「給紙トレイ」にウェイト値Ｗ２＝１０が設定され、トレイ毎の係数値Ｃ２が設定され、「用紙種類」に小さなウェイト値Ｗ３＝１が設定され、媒体種類毎の係数値Ｃ３が設定されている。
【００５７】
そして、ジョブソート処理部２７は、各印刷媒体を評価するための評価値ｅの演算式ｅ＝（Ｗ１×Ｃ１）＋（Ｗ２×Ｃ２）＋（Ｗ３×Ｃ３）を保持して演算処理を実行し、評価値ｅが大きい順にソート処理を行う。例えば、図１０のレコードＮｏ１で示す用紙設定情報の評価値ｅは、
ｅ（１）＝（１００×４）＋（１０×２）＋（１×１）＝４２１
同様に図１０のレコードＮｏ２，３，４，５，６の各評価値ｅ（２）＝１１３、ｅ（３）＝４２１、ｅ（４）＝１２３、ｅ（５）＝１１３、ｅ（６）＝４２１となる。
【００５８】
この評価値の大きい順にソートすると図１１のようにジョブ管理テーブル上で順番が変換される。尚、ウェイト値は、例えば、Ｗ１＝１、Ｗ２＝１０、Ｗ３＝１００としてもよい。
【００５９】
尚、ジョブソート処理は印刷ジョブデータをジョブ格納メモリに格納する毎にジョブ管理テーブル上で実行してもよく、又データ格納数ｉがＮよりも大きくなった時点でデータ連続送信に先立ってジョブ管理テーブル上で実行してもよい。
【実施例３】
【００６０】
図１４は、本発明に係る印刷システムのブロック図である。
【００６１】
この印刷システムは印刷制御装置１０Ｂとプリンタ装置３０とから成る。印刷制御装置１０Ｂは用紙設定情報判定部１４Ａ、用紙サイズ情報送信要求部２８及び用紙サイズ情報受信部２９を備えている。用紙サイズ情報送信要求部２８は印刷ジョブデータを生成する毎に用紙サイズ情報の送信要求をプリンタ装置３０へ送信する。用紙サイズ情報受信部２９はプリンタ装置３０側から用紙サイズ情報を受信する毎に該用紙サイズ情報を用紙設定情報判定部１４Ａに出力する。
【００６２】
用紙設定情報判定部１４Ａは印刷ジョブデータの用紙設定情報と、用紙設定情報記憶部１５の登録用紙設定情報とを比較し、両者が不一致の場合、更に用紙設定情報の用紙サイズ情報と受信した用紙サイズ情報とを比較し、両サイズ情報が一致すると装着トレイが存在するとして印刷ジョブデータの送信（不一致）信号をジョブ送信制御部１３に出力し、両サイズ情報が不一致の場合、一致信号をジョブ送信制御部１３に出力して印刷ジョブデータをジョブ格納部１６Ａに格納させる。
【００６３】
尚、印刷制御装置１０Ｂのその他の構成は図８で示す実施例２の構成と同一である。
【００６４】
プリンタ装置３０は、上記送信要求を受信して該送信要求を用紙サイズ情報検出部３１に出力する要求受信部３２と、検知した用紙サイズ情報を印刷制御装置１０Ｂ側に送信する送信部３３と、印刷ジョブデータを受信するジョブ受信部３４とを備えている。
【００６５】
用紙サイズ情報検出部３１は、送信要求を受けると、媒体設置部３５の装着部にトレイが装着されているか否かを検知する検知センサからの検知信号に基づいて各装着トレイの用紙サイズを検出し、用紙サイズ情報を出力する。
【００６６】
尚、給紙部３６は装着トレイの印刷媒体を画像形成部３７に給紙する機構部であり、画像形成部３７はジョブ受信部３４から供給される印刷ジョブデータに基づいて印刷処理を実行する。
【００６７】
次に、本実施例に係る動作を図１５、図１６に基づいて説明する。
【００６８】
先ず、印刷制御装置１０Ｂ側において、印刷対象文書指定部１１が文書を指定し（Ｓ７０１）、ジョブ生成部１２が印刷ジョブデータを生成してジョブ送信制御部１３に出力すると（Ｓ７０２）、用紙サイズ情報送信要求部２８が送信要求を出力する（Ｓ７０３）。
【００６９】
プリンタ装置３０側において、要求受信部３２が送信要求を受け、用紙サイズ情報検出部３１が上記したように用紙サイズ情報を出力すると、送信部３３がこの用紙サイズ情報を送信する。
【００７０】
印刷制御装置１０Ｂにおいて、用紙サイズ情報受信部２９が用紙サイズ情報を受信し（Ｓ７０４）、用紙設定情報判定部１４Ａに出力すると、該判定部１４Ａは判定処理を開始する（Ｓ７０５）。
【００７１】
即ち、用紙設定情報判定部１４Ａは、図１６で示すように、生成した印刷ジョブデータの用紙設定情報を「項目」順に比較すべく、用紙設定情報と登録用紙設定情報の「用紙サイズ」を比較し（Ｓ８０１）、一致すると格納と判定し（Ｓ８０６）、不一致と判定の場合、次の項目「給紙トレイ」を比較し（Ｓ８０２）、一致すると格納すると判定し（Ｓ８０６）、不一致の場合、更に次の項目「用紙種類」と比較し（Ｓ８０３）、一致すると格納と判定する（Ｓ８０６）。
【００７２】
本実施例では、ステップＳ８０３で不一致と判定すると、直ちに印刷ジョブデータを送信せずに、用紙設定情報判定部１４Ａは更にデータの「用紙サイズ」と受信した用紙サイズ情報とを比較し（Ｓ８０４）、不一致の場合、装着しているトレイが存在しないとして格納すると判定し（Ｓ８０６）、一致の場合、送信と判定する（Ｓ８０５）。
【００７３】
用紙設定情報判定部１４Ａは上記判定処理を行い、その結果として一致信号（格納）及び不一致信号（送信）のいずれかをジョブ送信制御部１３に出力する。
【００７４】
従って、ジョブ送信制御部１３の制御で印刷ジョブデータはジョブ格納部１６Ａに格納され（Ｓ７０７）、又はプリンタ装置３０へ送信される（Ｓ７０８）。
【００７５】
本実施例によれば、プリンタ装置３０に所定のトレイが装着されていない場合、印刷ジョブデータを一時的に格納し、該トレイ対応の二以上の印刷ジョブデータを一括的に送信するので、更にユーザの作業性を向上させ、手間を省くことが出来る。
【００７６】
尚、上記各実施例では、データ送信先をプリンタ装置としているが、画像形成機能を有する多機能端末装置（ＭＦＰ）等であってもよい。
【図面の簡単な説明】
【００７７】
【図１】実施例１に係る印刷制御装置のブロック図である。
【図２】実施例１に係る登録用紙設定情報の説明図である。
【図３】（Ａ）は実施例１に係るジョブ格納メモリ、（Ｂ）は同ジョブ管理テーブルである。
【図４】実施例１の印刷制御装置を形成する情報処理装置のブロック図である。
【図５】実施例１の全体的な動作フローチャートである。
【図６】実施例１のジョブ管理テーブルの作成フローチャートである。
【図７】実施例１の格納判定フローチャートである。
【図８】実施例２に係る印刷制御装置のブロック図である。
【図９】実施例２のジョブ管理テーブルの作成フローチャートである。
【図１０】実施例２のソート処理前のジョブ管理テーブルを示す図である。
【図１１】実施例２のソート処理後のジョブ管理テーブルを示す図である。
【図１２】実施例２の格納判定フローチャートである。
【図１３】実施例２の評価値を設定するウェイト値と係数値を示す図である。
【図１４】実施例３に係る印刷システムのブロック図である。
【図１５】実施例３の全体的なフローチャートである。
【図１６】実施例３の格納判定フローチャートである。
【符号の説明】
【００７８】
１    プリンタ装置
１０  印刷制御装置
１０Ａ、１０Ｂ  印刷制御装置
１１  印刷対象文書指定部
１２  ジョブ生成部
１３  ジョブ送信制御部
１４  用紙設定情報判定部
１５  用紙設定情報記憶部
１６  ジョブ格納部
１７  ジョブ送信部
１８  ジョブ送信指示部
１９  用紙設定情報指定部
【図１】
2007257506.tif 000003
【図２】
2007257506.tif 000004
【図３】
2007257506.tif 000005
【図４】
2007257506.tif 000006
【図５】
2007257506.tif 000007
【図６】
2007257506.tif 000008
【図７】
2007257506.tif 000009
【図８】
2007257506.tif 000010
【図９】
2007257506.tif 000011
【図１０】
2007257506.tif 000012
【図１１】
2007257506.tif 000013
【図１２】
2007257506.tif 000014
【図１３】
2007257506.tif 000015
【図１４】
2007257506.tif 000016
【図１５】
2007257506.tif 000017
【図１６】
2007257506.tif 000018